(57)【要約】【課題】使用が簡単で、打撲傷を快適且つ確実に緩和することができる皮膚快適緩和装置を提供する。【解決手段】本考案は、回路基板１と、コイル２と、絶縁層３と、押しボタン４１と、電源５と、を含み、回路基板１は、その下表面にパルス発振回路１１が布設され、絶縁層３は、パルス発振回路１１上に設置されると共に、その表面に開口３１が開設され、コイル２は、回路基板１と電気的に接続されると共に、パルス発振回路１１によって、その周囲に電磁波を生成し、押しボタン４１は、パルス発振回路１１上に設置されると共に、開口３１を介して外側へ露出して構成され、電源５は、ボタン電池で、回路基板１１と電気的に接続して電力を提供することを主な特徴とする。【選択図】図１
0003181235.tif 000002
【実用新案登録請求の範囲】
【請求項１】
皮膚快適緩和装置であって、
回路基板と、コイルと、絶縁層と、押しボタンと、電源と、を含み、
前記回路基板は、その下表面にパルス発振回路が布設され、
前記絶縁層は、前記パルス発振回路上に設置されると共に、その表面に開口が開設され、
前記コイルは、前記回路基板上に電気的に接続されると共に、前記パルス発振回路によって、その周囲に電磁波を生成し、
前記押しボタンは、前記パルス発振回路上に設置されると共に、前記開口を介して外側へ露出して構成され、
前記電源は、ボタン電池で、前記回路基板上に接続して電力を提供することを特徴とする、皮膚快適緩和装置。
【請求項２】
前記回路基板の外部には、キャビネットが蓋設され、前記キャビネットの下方には、スルーホールが設置され、前記スルーホールを介して前記押しボタンをキャビネットの外側へ露出させることを特徴とする、請求項１に記載の皮膚快適緩和装置。
【請求項３】
前記押しボタンの底部には、導電弾性片が設置され、前記押しボタンを押圧することで前記導電弾性片と前記パルス発振回路との接触又は非接触を行なう一方、前記押しボタンを開放することで前記導電弾性片が弾性復元力によって所定位置に戻ることを特徴とする、請求項１又は２に記載の皮膚快適緩和装置。
【考案の詳細な説明】
【技術分野】
【０００１】
本考案は、皮膚快適緩和装置に関し、特に特殊な技術を必要とせず、一般的な人が簡単に使用でき且つ打撲傷の快適緩和機能を確実に達成できる皮膚快適緩和装置に関するものである。
【背景技術】
【０００２】
人体の皮膚には、微血管が充分に分布され、この微血管は、人体活動の基本的な代謝機能を果たすように用いられる。
【０００３】
この微血管の分布により、人体が外力の皮膚に対する作用を受ける時に、この外力が微血管の管壁の負担できる程度を超えたら、微血管の管壁の破裂を招き、血液を皮下部分に拡散するように及ぼし、皮膚より可視化できる打撲傷現象を形成する恐れがある。
【０００４】
通常は、大部分の打撲傷症状が、人体の機能により自然に治愈でき、差異が時間だけに限る。然しながら、比較的大きな面積または顔部などの美観に影響を及ぼす部分に位置する打撲傷に対し、外力によって打撲傷の除去を促進する必要がある。
【０００５】
打撲傷の除去を促進するためには、主として打撲傷部位の代謝機能を強化する必要がある。このような強化手段は、薬物または機械によって実現できる。但し、薬物が相当に専門的な知識を必要とし、一般的な人が良く分からない。そして一般的な機械には、更にユーザーの使用方式を考慮する必要があるため、しかもこのような機械を過度に使用すると、打撲傷の除去作業を有効に達成できず、故に打撲傷がより酷くなる場合がある。
【０００６】
上述のように、伝統的な打撲傷の快適緩和方式には、大部分の人に適用できないので、その機能を十分発揮できないという問題があった。
【０００７】
本考案者は、上記の伝統的な方法の欠点に鑑み、積極的に研究・開発・改良を行ない、パルス発振回路を基に打撲傷の患部に対し、適度な電磁波を施すことにより、代謝サイクルを促進し、打撲傷の除去を早めることができることを考案し、長期間の研究および実製作を経て、遂に本考案の皮膚快適緩和装置の研究・開発に成功した。
【先行技術文献】
【特許文献】
【０００８】
【特許文献１】なし
【考案の概要】
【考案が解決しようとする課題】
【０００９】
本考案の主要な目的は、操作が簡単で、ユーザーの余計な訓練を不要とし、しかも誰でも、同一の効果を発揮できる皮膚快適緩和装置を提供することにある。
【００１０】
本考案の他の目的は、操作が簡単で且つメンテナンスが容易で、使用の効果と寿命がより長くなる皮膚快適緩和装置を提供することにある。
【００１１】
本考案の更なる目的は、効果が極めて顕著で、打撲傷の快適緩和効果を快速的に実現できる皮膚快適緩和装置を提供することにある。
【課題を解決するための手段】
【００１２】
上記目的を達成するために、本考案の皮膚快適緩和装置は、回路基板と、コイルと、絶縁層と、押しボタンと、電源と、を含み、前記回路基板は、その下表面にパルス発振回路が布設され、前記絶縁層は、前記パルス発振回路上に設置されると共に、その表面に開口が開設され、前記コイルは、前記回路基板上に電気的に接続されると共に、前記パルス発振回路によって、その周囲に電磁波を生成し、前記押しボタンは、前記パルス発振回路上に設置されると共に、前記開口を介して外側へ露出して構成され、前記電源は、ボタン電池で、前記回路基板上に接続して電力を提供することを主な特徴とする。
これにより、皮膚内の打撲傷に対し、代謝の促進を図ることにより、打撲傷の現象を快適・緩和することができる。
【考案の効果】
【００１３】
本考案は、構造が簡単で、操作が容易で、ユーザーが、コイルを打撲傷のある皮膚に近接し、その後に電源を起動して電磁波を発生し、患部に対し、打撲傷の快適緩和機能を行なうことができるので、その効果が極めて顕著である。
【図面の簡単な説明】
【００１４】
【図１】本考案の実施例１の分解斜視図である。
【図２】本考案の実施例１の組立斜視図である。
【図３】本考案の実施例２の分解斜視図である。
【図４】本考案の実施例２の組立斜視図である。
【考案を実施するための形態】
【００１５】
以下、本考案の実施形態を図に基づいて説明する。
【実施例１】
【００１６】
本考案  は、図１と図２に示すように、主として一つの回路基板１、一つのコイル２、一つの絶縁層３、二つの押しボタン４１、４２、及び一つの電源５を含んで構成される。
【００１７】
前記回路基板１の表面には、パルス発振回路１１が布設されており、前記コイル２は、回路基板１上に接続かつ導通し、前記パルス発振回路１１により、前記コイル２の周囲に電磁波を生成する。前記電磁波は、所定設定で皮膚内の打撲傷に対し、代謝の促進機能を生成できることにより、打撲傷の現象を快適・緩和することができる。
【００１８】
前記二つの押しボタン４１、４２は、前記パルス発振回路１１上に設置されており、一つのオン（ＯＮ）押しボタン４１と一つのオフ（ＯＦＦ）押しボタン４２を含んでなり、前記オン（ＯＮ）押しボタン４１は、押付けを経由して前記パルス発振回路１１に導通して仕事を行ない、前記オフ（ＯＦＦ）押しボタン４２は、電源をオフして仕事を終了するように用いられる。
【００１９】
前記電源５は、電源を回路基板１へ提供するために用いられ、電池または公共電気であってもよい。本実施例では、ユーザーの便利性を考慮すると、ボタン電池を採用する。
【００２０】
前記絶縁層３はマイラー（ＭＹＬＡＲ）片で、前記パルス発振回路１１上に設置される。前記絶縁層３は、前記パルス発振回路１１と外部との接触を避けて保護するように用いられる。前記絶縁層３の表面には、開口３１、３２が設置される。前記開口３１、３２は、前記押しボタン４１、４２を絶縁層３の外部へ露出させて操作に寄与する。
【００２１】
その他、前記押しボタン４１、４２の底部には、導電弾性片（Ｍｅｔａｌ  Ｄｏｍｅ）６１、６２が設置されており、前記オン（ＯＮ）押しボタン４１を押し付けて前記導電弾性片６１が前記パルス発振回路１１に接触・導通できる一方、前記オン（ＯＮ）押しボタン４１を開放すると、前記導電弾性片６１が弾性力により自動的に所定位置（又は非接触状態）へ戻る。そして、前記オフ（ＯＦＦ）押しボタン４２を押し付けると、前記導電弾性片６２が前記パルス発振回路１１との接触・非接触をすることができ、同様に該オフ（ＯＦＦ）押しボタン４２を弛めると、前記導電弾性片６２がその弾性力により所定位置へ自動的に戻る。
【実施例２】
【００２２】
上記の構造また構成は、図３と図４に示すように、既に制御を単独的に完成できた。更に必要に応じて、前記回路基板１の外部にキャビネット７を蓋設することにより、より完全な保護を形成すればよい。前記キャビネット７の下方には、スルーホール７１、７２を設置することにより、前記押しボタン４１、４２をキャビネットの外部へ露出させることができる。
【００２３】
以上の詳細な説明は、本考案に対して実行可能な実施例の具体的な説明であるが、本実施例が本考案の実用新案登録請求の範囲を限定するために用いられるものではなく、例えば本考案の技術精神をまだ逸脱しない下で完成された等価な実施または変更が、何れも本考案の実用新案登録請求の範囲中に含まれるべきである。
【符号の説明】
【００２４】
１：回路基板
１１：パルス発振回路
２：コイル
３：絶縁層
３１：開口
３２：開口
４１：押しボタン
４２：押しボタン
５：電源
６１：導電弾性片
６２：導電弾性片
７：キャビネット
７１：スルーホール
７２：スルーホール
【図１】
0003181235.tif 000003
【図２】
0003181235.tif 000004
【図３】
0003181235.tif 000005
【図４】
0003181235.tif 000006